(57)【要約】【課題】組立性及び防塵性を向上させること。【解決手段】中継基板４０は、コネクタ５０Ａ，５２Ａが実装された実装面４０Ａを有する。中継基板４０は、リーダフレーム１２Ａの外側に配置されている。イメージセンサから延びるケーブル３０がコネクタ５０Ａに接続され、制御部に接続されるケーブル３２がコネクタ５２Ａに接続されている。カバー４１は、ケーブル３０においてリーダフレーム１２Ａから引き出された部分を覆うようにリーダフレーム１２Ａの外側に配置されている。カバー４１は、コネクタ５２Ａに対向する位置に配置された開口Ｈ０を有する。カバー４２は、カバー４１の開口Ｈ０を覆うようにリーダフレーム１２Ａの外側に配置されている。【選択図】図４
2018129632.tif 000002
【特許請求の範囲】
【請求項１】
第１のフレームと、
前記第１のフレームに収容され、原稿の画像を読み取る第１の読取センサと、
前記第１の読取センサから延びる第１のケーブルが接続される第１のコネクタ、及び外部機器に接続される第２のケーブルが接続される第２のコネクタが実装された実装面を有し、前記第１のフレームの外側に配置された中継基板と、
前記第２のコネクタに対向する位置に開口を有し、前記第１のケーブルにおいて前記第１のフレームから引き出された部分を覆うように前記第１のフレームの外側に配置された第１のカバーと、
前記第１のカバーの開口を覆うように前記第１のフレームの外側に配置された第２のカバーと、を備えたことを特徴とする画像読取装置。
【請求項２】
前記第１のカバーは、前記実装面に対向する第１の部分と、前記第１の部分に隣接する第２の部分とを有し、前記第１の部分は、前記第２の部分よりも前記第１のフレームから遠ざかる方向に突出することを特徴とする請求項１に記載の画像読取装置。
【請求項３】
前記第１のフレームの外面と前記実装面との距離が、前記第１のフレームの外面と前記第２の部分において前記第１のフレームの外面に対向する面との距離以上であることを特徴とする請求項２に記載の画像読取装置。
【請求項４】
前記第１のフレームに対して開閉可能に支持された第２のフレームと、
前記第２のフレームに収容され、前記第１の読取センサにより読み取られる原稿の面とは反対の面の画像を読み取る第２の読取センサと、を更に備え、
前記実装面には、前記第２の読取センサから延びる第３のケーブルが接続される第３のコネクタが更に実装され、
前記第１のカバーは、前記第３のケーブルにおいて前記第１のフレームから引き出された部分を覆うことを特徴とする請求項１乃至３のいずれか１項に記載の画像読取装置。
【請求項５】
前記第３のケーブルは、前記第２のフレームから引き出され、前記第１のフレームの内部に引き入れられていることを特徴とする請求項４に記載の画像読取装置。
【請求項６】
前記実装面には、前記第１のカバーの開口に対向して配置され、外部機器に接続される第４のケーブルが接続される第４のコネクタが実装されていることを特徴とする請求項４又は５に記載の画像読取装置。
【請求項７】
前記第２のカバーは、前記第１のカバーと前記第２のカバーとの間に前記第２のケーブル及び前記第４のケーブルを這わせる空間を形成するように配置されていることを特徴とする請求項６に記載の画像読取装置。
【請求項８】
請求項１乃至７のいずれか１項に記載の画像読取装置と、
シートに画像を形成する画像形成部と、
前記画像形成部を制御する制御部と、を備え、
前記外部機器が前記制御部であることを特徴とする画像形成装置。
【発明の詳細な説明】
【技術分野】
【０００１】
本発明は、原稿の画像を読み取る画像読取装置、及び画像読取装置を備えた画像形成装置に関する。
【背景技術】
【０００２】
従来、プリンタ、複写機、ファクシミリ、複合機等の画像形成装置において、画像形成装置本体と、画像形成装置本体の上部に配置された画像読取装置とを備えたものが知られている。画像読取装置においては、原稿を移動させながら原稿の表裏面の画像を読み取る、流し読み機能を有する自動原稿搬送装置（ＡＤＦ：Ａｕｔｏ  Ｄｏｃｕｍｅｎｔ  Ｆｅｅｄｅｒ）を備えたものが知られている。
【０００３】
ＡＤＦで原稿を搬送しながら原稿の表裏面を読み取る方法として、画像読取装置本体側に配置した読取センサにより原稿の第１面の画像を読み取った後、反転搬送して原稿の第２面の画像を読み取る構成が一般的に知られている。近年では、表面読取用の読取センサを画像読取装置本体側に配置し、裏面読取用の読取センサをＡＤＦ側に配置した構成も提案されている（特許文献１参照）。この構成により、原稿を反転させることなく原稿の表裏両面の画像を読み取ることができる。
【０００４】
読取センサには、例えば密着型のイメージセンサが用いられる。イメージセンサは、原稿の反射光像を光電変換して画像信号を制御部へ送信する。制御部は、例えば画像形成装置本体に配置されている。読取センサと制御部とは、画像信号の通信が可能なように、フレキシブルフラットケーブル等のケーブルにより接続される。
【先行技術文献】
【特許文献】
【０００５】
【特許文献１】特開２０１１−２０５３４１号公報
【発明の概要】
【発明が解決しようとする課題】
【０００６】
ところで、画像形成装置の組み立て作業の効率化を図るために、画像形成装置の異なる機種間で画像読取装置を共通化することが考えられている。しかし、制御部の設置位置は、画像形成装置の機種によって異なるため、読取センサと制御部とを接続するケーブルの適切な長さが機種に応じて異なる。したがって、読取センサから延びるケーブルを直接制御部に接続する従来の構成では、画像形成装置の機種によってケーブルの適切な長さが異なるため、画像読取装置の共通化は困難であった。
【０００７】
また、画像形成装置の異なる機種間で画像読取装置を共通化するに際しては、ケーブル対策だけではなく、読取センサが配置されるフレーム内に粉塵が侵入するのを防ぐ対策も必要であった。
【０００８】
そこで、本発明は、組立性及び防塵性を向上させることを目的とする。
【課題を解決するための手段】
【０００９】
本発明の画像読取装置は、第１のフレームと、前記第１のフレームに収容され、原稿の画像を読み取る第１の読取センサと、前記第１の読取センサから延びる第１のケーブルが接続される第１のコネクタ、及び外部機器に接続される第２のケーブルが接続される第２のコネクタが実装された実装面を有し、前記第１のフレームの外側に配置された中継基板と、前記第２のコネクタに対向する位置に開口を有し、前記第１のケーブルにおいて前記第１のフレームから引き出された部分を覆うように前記第１のフレームの外側に配置された第１のカバーと、前記第１のカバーの開口を覆うように前記第１のフレームの外側に配置された第２のカバーと、を備えたことを特徴とする。
【発明の効果】
【００１０】
本発明によれば、組立性及び防塵性が向上する。
【図面の簡単な説明】
【００１１】
【図１】（ａ）は実施形態に係る画像形成装置の一例であるプリンタの構成を示す概略図である。（ｂ）は画像形成エンジンの構成を示す概略図である。
【図２】（ａ）は実施形態に係る画像読取ユニットの斜視図である。（ｂ）は画像読取ユニットの模式図である。
【図３】（ａ）〜（ｃ）はイメージセンサと制御部とを接続する配線構造を説明するための分解斜視図である。
【図４】（ａ）は画像読取ユニットにおける中継基板の周囲の断面図である。（ｂ）は中継基板に対するケーブルの接続状態を示す説明図である。
【図５】画像読取ユニットの下面図である。
【図６】（ａ）はリーダフレームの下面に第１のカバーを取り付けた状態を示す画像読取ユニットの下面図である。（ｂ）はリーダフレームの下面に第１のカバーを取り付けた状態を示す画像読取ユニットの斜視図である。
【図７】（ａ）はリーダフレームの下面に第２のカバーを取り付けた状態を示す画像読取ユニットの下面図である。（ｂ）はリーダフレームの下面に第２のカバーを取り付けた状態を示す画像読取ユニットの斜視図である。
【発明を実施するための形態】
【００１２】
以下、本発明を実施するための形態を、図面を参照しながら詳細に説明する。なお、以下の説明において、シートは、普通紙の他、コート紙等の特殊紙、封筒やインデックス紙等の特殊形状からなる記録材、及びオーバーヘッドプロジェクタ用のプラスチックフィルムや布などを含むものとする。図１（ａ）は、実施形態に係る画像形成装置の一例であるプリンタの構成を示す概略図である。図１（ａ）に示すプリンタ１００は、電子写真方式のレーザビームプリンタである。プリンタ１００は、画像形成装置本体である本体７０と、本体７０の上部に装着される、画像読取装置の一例としての画像読取ユニット１０と、を備えている。
【００１３】
ここで、プリンタ１００、即ち画像読取ユニット１０において、図１（ａ）中、右側を矢印Ｘ１、左側を矢印Ｘ２、前側を矢印Ｙ１、後側を矢印Ｙ２、上側を矢印Ｚ１、下側を矢印Ｚ２で示している。
【００１４】
本体７０は、筐体７０Ａと、画像形成部の一例である画像形成エンジン６０と、外部機器の一例である制御部８０と、を有している。画像形成エンジン６０は、筐体７０Ａの内部に配置されており、給送されたシートに画像を形成する。制御部８０は、筐体７０Ａの内部、又は筐体７０Ａの外面に取り付けられた制御ボックス等に配置されており、プリンタ１００全体、特に画像形成エンジン６０を制御する。
【００１５】
図１（ｂ）は、画像形成エンジン６０の構成を示す概略図である。画像形成エンジン６０は、図１（ｂ）に示すように、電子写真方式の画像形成ユニットＰＵと、定着装置７と、を備えている。画像形成動作の開始が指令されると、感光体である感光ドラム１が回転し、ドラム表面が帯電装置２によって一様に帯電される。すると、露光装置３が画像読取ユニット１０又は外部のコンピュータから送信された画像データに基づいてレーザ光を変調して出力し、感光ドラム１の表面を走査して静電潜像を形成する。この静電潜像は、現像装置４から供給されるトナーによって可視化（現像）されてトナー像となる。
【００１６】
このような画像形成動作に並行して、不図示のカセット又は手差しトレイに積載されたシートを画像形成エンジン６０へ向けて給送する給送動作が実行される。給送されたシートは、画像形成ユニットＰＵによる画像形成動作の進行に合わせて搬送される。そして、感光ドラム１に担持されたトナー像は、転写ローラ５によってシートに転写される。トナー像転写後に感光ドラム１上に残ったトナーは、クリーニング装置６によって回収される。未定着のトナー像が転写されたシートは、定着装置７へと受け渡されて、ローラ対に挟持されて加熱及び加圧される。トナーがシートに対して溶融及び固着して画像が定着したシートは、排出ローラ対によって筐体７０Ａの外部に排出される。
【００１７】
制御部８０は、プリンタ１００を統括制御する中央処理装置（ＣＰＵ：Ｃｅｎｔｒａｌ  Ｐｒｏｃｅｓｓｉｎｇ  Ｕｎｉｔ）８１と、ＣＰＵ８１が実行するプログラムや画像情報及び設定情報を記憶するメモリ８２を含む。また、制御部８０は、画像読取ユニット１０から取得した画像データを示すアナログ画像信号をデンタル画像信号に変換するＡＤ変換部８３を含む。ＡＤ変換部８３は、アナログ画像信号をデジタル画像信号に変換する処理として、入力を受けたアナログ画像信号に対して種々の画像処理、例えば２値化処理、階調処理、変倍処理、編集処理等を施し、デジタル画像信号を生成する。制御部８０は、画像形成エンジン６０を制御して、記録媒体であるシートに画像を形成させる画像形成動作を実行可能である。
【００１８】
なお、画像形成エンジン６０は、記録媒体としてのシートに画像を形成可能な画像形成手段の一例であり、上述の直接転写方式に代えて中間転写体を含む中間転写方式の構成を用いてもよく、インクジェット方式等の他の機構を用いてもよい。
【００１９】
次に、画像読取ユニット１０について説明する。図２（ａ）は、実施形態に係る画像読取ユニットの斜視図である。画像読取ユニット１０は、図２（ａ）に示すように、原稿トレイ１４に載置された原稿ＤＡを自動的に給送するシート給送装置の一例であるＡＤＦ（Ａｕｔｏ  Ｄｏｃｕｍｅｎｔ  Ｆｅｅｄｅｒ）１１と、原稿台ガラスを有するリーダ部１２と、を備えている。ＡＤＦ１１は、原稿台ガラスが開放可能となるように、ヒンジによってリーダ部１２に対して回動可能に支持されている。
【００２０】
図２（ｂ）は、画像読取ユニット１０の模式図である。図１（ａ）及び図２（ｂ）に示すように、リーダ部１２は第１のフレームであるリーダフレーム１２Ａを有し、ＡＤＦ１１はリーダフレーム１２Ａに対して開閉可能な第２のフレームである開閉フレーム１１Ａを有する。なお、原稿ＤＡとして用いられるシートは、白紙でも、片面又は両面に画像が形成されていてもよい。
【００２１】
図１（ａ）に示すように、ＡＤＦ１１は、原稿ＤＡが載置される原稿トレイ１４と、原稿トレイ１４から給送された原稿ＤＡを搬送する原稿搬送部１５と、原稿ＤＡが排出される排出トレイ２９と、を備えている。原稿搬送部１５は、略Ｕ字状に湾曲した原稿搬送路（Ｕターンパス）２２を有する。原稿搬送部１５には、原稿搬送路２２に沿ってピックアップローラ１７、分離ローラ１８、分離パッド１９、原稿ストッパ２０、原稿有無センサ２１、搬送ローラ対２３、排出ローラ対２４、及び原稿エッジセンサ２５が配置されている。
【００２２】
ＡＤＦ１１及びリーダ部１２には、それぞれ原稿ＤＡから画像情報を読取り可能な読取センサの一例である密着型のイメージセンサ１６，２６が配置されている。即ち、リーダ部１２は、第１の読取センサの一例であるイメージセンサ１６を有し、ＡＤＦ１１は、第２の読取センサの一例であるイメージセンサ２６を有する。イメージセンサ１６は、リーダ部１２のリーダフレーム１２Ａの内部に収容され、イメージセンサ２６は、ＡＤＦ１１の開閉フレーム１１Ａの内部に収容されている。
【００２３】
イメージセンサ１６，２６は、光源としてのＬＥＤアレイから原稿ＤＡの画像情報面に光を照射し、画像情報面で反射した反射光をレンズでセンサ素子に結像して画像情報を読取るものである。
【００２４】
以下、画像読取ユニット１０がＡＤＦ１１によって原稿ＤＡを給送しながら原稿ＤＡから画像情報を読取る動作（流し読み動作）について説明する。まず、操作者が原稿ＤＡを原稿トレイ１４に載置する。このとき、原稿ＤＡの先端位置が原稿ストッパ２０によって規制されると共に、原稿有無センサ２１によって原稿ＤＡが検知され、制御部８０が原稿の存在を認識する。
【００２５】
そして、操作者が不図示の操作部を介して読取開始を指示すると、不図示の駆動部から供給される駆動力によって原稿ストッパ２０が押し下げられ、ピックアップローラ１７によって原稿ＤＡが分離ローラ１８と分離パッド１９の間の分離部まで搬送される。すると、分離パッド１９によって原稿ＤＡが他の原稿から分離され、最上位の原稿ＤＡが分離ローラ１８によって搬送される。分離された原稿ＤＡは、搬送ローラ対２３によって原稿搬送路２２に沿って搬送され、イメージセンサ１６，２６による読取位置へ向けて搬送される。
【００２６】
その後、原稿エッジセンサ２５により原稿ＤＡの先端部が検知されると、原稿ＤＡの先端部が原稿エッジセンサ２５の検知位置から所定量搬送されるタイミングでイメージセンサ１６，２６による画像情報の読取りが開始される。リーダ部１２に配置されたイメージセンサ１６は原稿ＤＡの第１面（表面）から画像情報を読取り、ＡＤＦ１１に配置されたイメージセンサ２６は原稿ＤＡの第１面とは反対の第２面（裏面）から画像情報を読取る。イメージセンサ１６，２６の読取位置を通過した原稿ＤＡは、排出ローラ対２４に向かって搬送される。そして、原稿エッジセンサ２５により原稿ＤＡの後端部が検知されると、原稿ＤＡの後端部が原稿エッジセンサ２５の検知位置から所定量搬送されるタイミングでイメージセンサ１６、２６による画像情報の読取りが終了する。そして、原稿ＤＡは、排出ローラ対２４によって排出トレイ２９へ排出される。このような読取動作は、原稿トレイ１４に載置された原稿が存在しないことが原稿有無センサ２１によって検知されるまで繰り返される。
【００２７】
なお、画像読取ユニット１０は、リーダ部１２の原稿台ガラスに載置された原稿から画像情報を読取る動作（固定読み動作）を実行可能である。この場合、原稿台ガラスに原稿が静置された状態で、イメージセンサ１６が原稿台ガラスに沿って副走査方向（図１（ａ）中、Ｘ１，Ｘ２方向）に移動することで、原稿ＤＡから画像情報が読取られる。
【００２８】
イメージセンサ１６，２６は、制御部８０、具体的にはＡＤ変換部８３に、配線で電気的に接続される。以下、この配線構造について説明する。図３（ａ）〜図３（ｃ）は、イメージセンサ１６，２６と制御部８０とを接続する配線構造を説明するための分解斜視図である。イメージセンサ１６と制御部８０とは、第１のケーブルであるケーブル３０、中継基板４０、及び第２のケーブルであるケーブル３２を介して電気的に接続されている。これにより、イメージセンサ１６から制御部８０へ画像信号が送信され、また制御部８０からイメージセンサ１６への電力の供給がなされる。イメージセンサ２６と制御部８０とは、第３のケーブルであるケーブル３１、中継基板４０、及び第４のケーブルであるケーブル３３を介して電気的に接続されている。これにより、イメージセンサ２６から制御部８０へ画像信号が送信され、また制御部８０からイメージセンサ２６への電力の供給がなされる。ケーブル３０，３１，３２，３３は、フレキシブルフラットケーブルである。
【００２９】
図３（ａ）に示すように、イメージセンサ１６からはケーブル３０が延びており、イメージセンサ２６からはケーブル３１が延びている。具体的に説明すると、ケーブル３０の一端にはコネクタ３０Ａが設けられ、他端にはコネクタ３０Ｂが設けられており、コネクタ３０Ｂがイメージセンサ１６の不図示のコネクタに接続されている。また、ケーブル３１の一端にはコネクタ３１Ａが設けられ、他端にはコネクタ３１Ｂが設けられており、コネクタ３１Ｂがイメージセンサ２６の不図示のコネクタに接続されている。
【００３０】
図４（ａ）は、実施形態における画像読取ユニット１０における中継基板４０の周囲の断面図である。また、図４（ｂ）は、中継基板４０に対するケーブル３０，３１，３２，３３の接続状態を示す説明図である。中継基板４０は、プリント配線板である。中継基板４０は、第１のコネクタであるコネクタ５０Ａ、第２のコネクタであるコネクタ５２Ａ、第３のコネクタであるコネクタ５１Ａ、及び第４のコネクタであるコネクタ５３Ａが実装される実装面４０Ａを有している。中継基板４０及びコネクタ５０Ａ，５１Ａ，５２Ａ，５３Ａを有して基板部４５が構成されている。
【００３１】
コネクタ５２Ａ，５３Ａは互いに隣接するように、中継基板４０の実装面４０Ａに実装され、コネクタ５０Ａ，５１Ａは、コネクタ５２Ａ，５３Ａを挟むように、中継基板４０の実装面４０Ａに実装されている。即ち、中継基板４０の実装面４０Ａには、Ｘ１方向からＸ２方向に向かってコネクタ５０Ａ、コネクタ５２Ａ、コネクタ５３Ａ、コネクタ５１Ａの順に配置されている。
【００３２】
コネクタ５０Ａの各ピンとコネクタ５２Ａの各ピンとは、中継基板４０の配線パターンにより電気的に接続されており、コネクタ５１Ａの各ピンとコネクタ５３Ａの各ピンとは、中継基板４０の配線パターンにより電気的に接続されている。図３（ａ）に示すケーブル３０のコネクタ３０Ａは、図４（ｂ）に示すコネクタ５０Ａに接続される。また、図３（ａ）に示すケーブル３１のコネクタ３１Ａは、図４（ｂ）に示すコネクタ５１Ａに接続される。
【００３３】
図３（ｂ）に示すように、ケーブル３２の一端にはコネクタ３２Ａが設けられ、他端にはコネクタ３２Ｂが設けられている。ケーブル３３の一端にはコネクタ３３Ａが設けられ、他端にはコネクタ３３Ｂが設けられている。
【００３４】
コネクタ３２Ｂ，３３Ｂは、制御部８０の不図示のコネクタにそれぞれ接続される。コネクタ３２Ａは、図４（ｂ）に示すように、コネクタ５２Ａに接続され、コネクタ３３Ａは、コネクタ５３Ａに接続される。
【００３５】
以上の配線構造により、図３（ｃ）に示すように、イメージセンサ１６は、ケーブル３０、中継基板４０、及びケーブル３２により、制御部８０に電気的に接続されている。また、イメージセンサ２６は、ケーブル３１、中継基板４０、及びケーブル３３により、制御部８０に電気的に接続されている。
【００３６】
図４（ａ）に示すように、中継基板４０は、リーダフレーム１２Ａの外側に配置されている。具体的には、中継基板４０は、リーダフレーム１２Ａの外面であって下面１２Ｂにスペーサ５５を介して固定されている。
【００３７】
ところで、プリンタ１００の機種間で画像読取ユニット１０を共通化する場合、制御部８０の設置位置がプリンタ１００の機種に応じて異なるため、ケーブル３２，３３は、機種に応じた長さのものを選択する必要がある。本実施形態では、画像読取ユニット１０をプリンタ１００の機種間で共通化するために、中継基板４０を用いている。画像読取ユニット１０を本体７０に組み付ける作業を行う際には、作業者は、プリンタ１００の機種に応じて、適した長さのケーブル３２，３３を、中継基板４０に実装されたコネクタ５２Ａ，５３Ａに接続すればよい。つまり、中継基板４０に接続されるケーブル３２，３３を変更するだけで、画像読取ユニット１０の共通化を図ることができる。これにより、プリンタ１００の機種によって制御部８０の位置が異なっても簡単に対応することができ、組み立て作業を効率的に行うことができる。よって、組立性が向上する。
【００３８】
図５は、画像読取ユニット１０の下面図である。なお、図５には、後述する図４（ａ）に示すカバー４１，４２を取り外した状態を示している。図５に示すように、リーダフレーム１２Ａの下面１２Ｂには、開口Ｈ１，Ｈ２が形成されている。図３（ａ）に示すケーブル３０は、図５に示す開口Ｈ１からリーダフレーム１２Ａの外部に引き出され、図４（ｂ）に示すコネクタ３０Ａが、図５に示すコネクタ５０Ａに接続されている。図３（ａ）に示すケーブル３１は、図５に示す開口Ｈ２からリーダフレーム１２Ａの外部に引き出され、図４（ｂ）に示すコネクタ３１Ａが、図５に示すコネクタ５１Ａに接続されている。
【００３９】
ここで、イメージセンサ１６は、リーダフレーム１２Ａに収容されているので、ケーブル３０は、リーダフレーム１２Ａ内を這わされて開口Ｈ１を通じてリーダフレーム１２Ａの下面１２Ｂから外部に引き出されている。一方、イメージセンサ２６は、開閉フレーム１１Ａに収容されている。したがって、ケーブル３１は、図２（ｂ）に示すように開閉フレーム１１Ａの不図示の開口を通じて開閉フレーム１１Ａの外部に引き出され、リーダフレーム１２Ａの不図示の開口を通じてリーダフレーム１２Ａの内部に引き入れられている。なお、ケーブル３１は、画像読取ユニット１０の後ろ側、即ち開閉フレーム１１Ａを開閉可能に支持する不図示のヒンジが配置されている側において、フレーム１１Ａ，１２Ａに跨って配線されている。そして、ケーブル３１は、図５に示すようにリーダフレーム１２Ａ内を這わされて開口Ｈ２を通じてリーダフレーム１２Ａの下面１２Ｂから外部に引き出されている。なお、ケーブル３１において、開閉フレーム１１Ａとリーダフレーム１２Ａとの間の部分は、不図示のカバーで覆われている。
【００４０】
リーダフレーム１２Ａの外側には、コネクタ５０Ａ，５１Ａ、開口Ｈ１，Ｈ２、及びケーブル３０，３１においてリーダフレーム１２Ａの外部に引き出された部分３０Ｄ，３１Ｄを覆う第１のカバーであるカバー４１が配置されている。カバー４１は、リーダフレーム１２Ａの下面１２Ｂに固定されている。これにより、図４（ａ）に示すように、リーダフレーム１２Ａとカバー４１との間の空間Ｒ１に、中継基板４０及びケーブル３０，３１の部分３０Ｄ，３１Ｄが配置される。
【００４１】
図６（ａ）は、リーダフレーム１２Ａの下面１２Ｂにカバー４１を取り付けた状態を示す画像読取ユニット１０の下面図であり、図６（ｂ）は、リーダフレーム１２Ａの下面１２Ｂにカバー４１を取り付けた状態を示す画像読取ユニット１０の斜視図である。
【００４２】
図６（ａ）及び図６（ｂ）に示すようにカバー４１を設けたことにより、開口Ｈ１，Ｈ２を通じてリーダフレーム１２Ａの内部に粉塵が侵入するのを防ぐことができる。よって、防塵性が向上する。
【００４３】
また、ケーブル３０，３１をカバー４１で覆うことで、画像読取ユニット１０を本体７０に組み付ける作業時に人や物などがケーブル３０，３１に接触してコネクタ５０Ａ，５１Ａからケーブル３０，３１が外れるのを防ぐことができる。
【００４４】
コネクタ５２Ａ，５３Ａにはケーブル３２，３３が接続されるため、カバー４１のコネクタ５２Ａ，５３Ａに対向する位置には、開口Ｈ０が形成されている。ケーブル３２，３３は、開口Ｈ０を通じてコネクタ５２Ａ，５３Ａに接続される。開口Ｈ２の大きさ（面積）は、実装面４０Ａの大きさ（面積）よりも小さい。即ち、コネクタ５２Ａ，５３Ａは、ケーブル３２，３３の接続が可能となるように開口Ｈ０により露出されるが、コネクタ５０Ａ，５１Ａは、カバー４１で覆われている。
【００４５】
図４（ａ）に示すように、リーダフレーム１２Ａの外側には、カバー４１の開口Ｈ０を覆う第２のカバーであるカバー４２が配置されている。カバー４２は、リーダフレーム１２Ａの下面１２Ｂに固定されている。カバー４２により、開口Ｈ０を通じて粉塵がリーダフレーム１２Ａ内に侵入するのを防ぐことができる。即ち、カバー４１とカバー４２との二重構造により、粉塵がリーダフレーム１２Ａ内に侵入するのを効果的に防いでいる。
【００４６】
ケーブル３２，３３は、制御部８０の位置に応じて引き回され、本実施形態では、図６（ａ）及び図６（ｂ）に示すように、カバー４１に沿って設置される。ケーブル３２，３３は、不図示の両面テープによりカバー４１に貼り付けられる。カバー４１を配置したことにより、ケーブル３０，３１とケーブル３２，３３とを離間させることができ、ケーブル３０，３１とケーブル３２，３３との間の電磁障害の発生、即ちノイズの発生を防ぐことができる。なお、ケーブル３２とケーブル３３とは、不図示のスポンジ等のスペーサにより離間され、ケーブル３２とケーブル３３との間の電磁障害の発生、即ちノイズの発生を防いでいる。
【００４７】
図７（ａ）は、リーダフレーム１２Ａの下面１２Ｂにカバー４２を取り付けた状態を示す画像読取ユニット１０の下面図であり、図７（ｂ）は、リーダフレーム１２Ａの下面１２Ｂにカバー４２を取り付けた状態を示す画像読取ユニット１０の斜視図である。
【００４８】
カバー４２は、カバー４１とカバー４２との間にケーブル３２，３３を這わせる図４（ａ）に示す空間Ｒ２を形成するように、カバー４１と間隔をあけて、開口Ｈ０に対向する位置からカバー４１に沿って延びている。即ち、カバー４２は、カバー４１及びケーブル３２，３３においてカバー４１に這わせた部分３２Ｄ，３３Ｄを覆うようにリーダフレーム１２Ａの下面１２Ｂに固定して配置される。そして、ケーブル３２，３３は、カバー４２において開口Ｈ０とは異なる位置、即ちカバー４２の端部の開口Ｈ３からＺ２方向に引き出される。
【００４９】
本実施形態では、コネクタ５２Ａ，５３Ａと、ケーブル３２，３３においてカバー４１に沿って這わせた部分３２Ｄ，３３Ｄがカバー４２で覆われている。これにより、画像読取ユニット１０を本体７０に組み付ける作業時に人や物などがケーブル３２，３３の部分３２Ｄ，３３Ｄやコネクタ５２Ａ，５３Ａ等に接触してコネクタ５２Ａ，５３Ａからケーブル３２，３３が外れるのを防ぐことができる。
【００５０】
ここで、図４（ａ）に示すように、カバー４１は、実装面４０Ａに対向する第１の部分である部分４１Ａと、部分４１Ａに隣接する第２の部分である部分４１Ｂとを有している。部分４１Ａは、部分４１Ｂよりもリーダフレーム１２Ａから遠ざかるＺ２方向に、突出量Ｄ０だけ突出している。中継基板４０は、スペーサ５５により部分４１Ａに近づけられており、開口Ｈ０を通じて、リーダフレーム１２Ａとカバー４１とで囲まれた空間Ｒ１に粉塵が侵入するのを効果的に防いでいる。即ち、リーダフレーム１２Ａの内部に粉塵が侵入するのを効果的に防いでいる。
【００５１】
更に、リーダフレーム１２Ａの下面１２Ｂと中継基板４０の実装面４０Ａとの距離が、リーダフレーム１２Ａの下面１２Ｂと部分４１Ｂにおいてリーダフレーム１２Ａの下面１２Ｂに対向する面４１Ｄとの距離以上であるのが好適である。図４（ａ）において、リーダフレーム１２Ａの下面１２Ｂと中継基板４０の実装面４０Ａとの距離をＤ１とする。また、リーダフレーム１２Ａの下面１２Ｂと部分４１Ｂにおいてリーダフレーム１２Ａの下面１２Ｂに対向する面４１Ｄとの距離をＤ２とする。図４（ａ）において、距離Ｄ１が距離Ｄ２以上であるのが好適であり、本実施形態では、距離Ｄ１と距離Ｄ２とが同じである。これにより、中継基板４０により遮蔽されるので、より効果的に開口Ｈ０から空間Ｒ１に粉塵が侵入するのを防ぐことができる。即ち、より効果的にリーダフレーム１２Ａの内部に粉塵が侵入するのを防ぐことができる。
【００５２】
なお、本発明は、以上説明した実施形態に限定されるものではなく、本発明の技術的思想内で多くの変形が可能である。また、実施形態に記載された効果は、本発明から生じる最も好適な効果を列挙したに過ぎず、本発明による効果は、実施形態に記載されたものに限定されない。
【００５３】
上述の実施形態では、原稿の第１面の画像を読み取るイメージセンサ１６と、原稿の第２面の画像を読み取るイメージセンサ２６とをそれぞれ配置した場合について説明したが、これに限定するものではない。即ち、リーダフレーム１２Ａ側にのみ読取センサを配置した構成であってもよい。この場合、画像読取装置は、原稿の第１面の画像を読取センサに読み取らせた後、原稿を反転搬送して原稿の第２面の画像を読取センサに読み取らせるように構成されていてもよい。また、画像読取装置は、原稿を反転搬送する機能を有しておらず、原稿の第１面のみ画像を読み取るように構成されていてもよい。いずれの場合であっても、上述の実施形態で説明したケーブル３１，３３は省略可能であり、中継基板４０においても、コネクタ５１Ａ，５３Ａは省略可能である。
【００５４】
また、上述の実施形態では、ケーブル３０，３１，３２，３３を介した通信をアナログ信号で行う場合について説明したが、これに限定するものではなく、デジタル信号で行う場合であってもよい。即ち、イメージセンサ１６，２６が、ＡＤ変換部８３を有しており、画像信号としてデジタル信号を送信するようにしてもよい。
【符号の説明】
【００５５】
１０…画像読取ユニット（画像読取装置）、１２Ａ…リーダフレーム（第１のフレーム）、１２Ｂ…下面（外面）、１６…イメージセンサ（第１の読取センサ）、２６…イメージセンサ（第２の読取センサ）、３０…ケーブル（第１のケーブル）、３１…ケーブル（第３のケーブル）、３２…ケーブル（第２のケーブル）、３３…ケーブル（第４のケーブル）、４０…中継基板、４０Ａ…実装面、４１…カバー（第１のカバー）、４２…カバー（第２のカバー）、５０Ａ…コネクタ（第１のコネクタ）、５１Ａ…コネクタ（第３のコネクタ）、５２Ａ…コネクタ（第２のコネクタ）、５３Ａ…コネクタ（第４のコネクタ）、６０…画像形成エンジン（画像形成部）、８０…制御部、１００…プリンタ（画像形成装置）
【図１】
2018129632.tif 000003
【図２】
2018129632.tif 000004
【図３】
2018129632.tif 000005
【図４】
2018129632.tif 000006
【図５】
2018129632.tif 000007
【図６】
2018129632.tif 000008
【図７】
2018129632.tif 000009